【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
ユーザテレビ機器上に実装された双方向テレビ番組ガイドを用いて、番組を格納するための格納オプションをユーザが選択することを可能にする方法であって、該方法は、
録画されるべき番組を格納するための少なくとも１つの格納オプションを該ユーザが選択することを可能にすることであって、該少なくとも１つの格納オプションは、番組がどのようにデジタル的に格納されるべきかを制御するように構成されている少なくとも１つの格納設定に関連する、ことと、
該少なくとも１つの格納オプションをユーザが選択したことに応答して、該少なくとも１つの格納設定を変更することと、
該双方向テレビ番組ガイドにおいて、少なくとも１つの番組に関連する少なくとも１つの番組リスト項目を表示することと、
デジタル格納デバイスに録画するために、該少なくとも１つの表示された番組リスト項目から番組リスト項目を該ユーザが選択することを可能にすることと、
該少なくとも１つの格納設定の変更に基づいて、該番組を該デジタル格納デバイスに録画することと
を包含する、方法。
【請求項２】
前記少なくとも１つの格納オプションは、番組が録画される場合に、番組とともに格納するための少なくとも１つの言語トラックを選択するためのものである、請求項１に記載の方法。
【請求項３】
前記少なくとも１つの格納オプションは、番組を録画するための少なくとも１つの映像フォーマットを選択するためのものである、請求項１に記載の方法。
【請求項４】
前記少なくとも１つの映像フォーマットは、高解像度テレビフォーマット、通常のテレビフォーマットおよびデジタルフォーマットのうちの少なくとも１つを含む、請求項３に記載の方法。
【請求項５】
前記少なくとも１つの格納オプションは、前記番組が該少なくとも１つのペアレンタル・コントロール基準を満たさない場合に、該番組が前記デジタル格納デバイスに録画されることを防止する少なくとも１つのペアレンタル・コントロール基準を設定するためのものである、請求項１に記載の方法。
【請求項６】
前記少なくとも１つの格納オプションは、番組が前記ユーザによって視聴されると、前記デジタル格納デバイスから該番組を自動的に消去するためのものである、請求項１に記載の方法。
【請求項７】
前記少なくとも１つの格納オプションは、番組が録画される場合に、該番組とともに格納するための少なくとも１つの言語のサブタイトルを選択するためのものである、請求項１に記載の方法。
【請求項８】
ユーザテレビ機器上に実装された双方向テレビ番組ガイドを用いて、番組を録画する方法であって、該方法は、
表示画面に、少なくとも１つの番組に関連する少なくとも１つの番組リスト項目を表示することと、
該少なくとも１つの表示された番組リスト項目から番組リスト項目を選択することによって、デジタル格納デバイスに録画されるべき番組をユーザが示すことを可能にすることであって、該選択された番組リスト項目は、該録画されるべき番組に対応する、ことと、
該録画されるべき番組を格納するための少なくとも１つの格納オプションを該ユーザが選択することを可能にすることであって、該少なくとも１つの格納オプションは、番組がどのようにデジタル的に格納されるべきかを制御するように構成されている少なくとも１つの格納設定に関連する、ことと、
該少なくとも１つの格納オプションのユーザ選択を受信したことに応答して、該録画されるべき番組に対する該少なくとも１つの格納設定を変更することと、
該番組に対する該少なくとも１つの格納設定の変更に基づいて、該番組を該デジタル格納デバイスに録画することと
を包含する、方法。
【請求項９】
前記少なくとも１つの格納オプションは、前記番組が録画される場合に、該番組とともに格納するための少なくとも１つの言語トラックを選択するためのものである、請求項８に記載の方法。
【請求項１０】
前記少なくとも１つの格納オプションは、録画するための少なくとも１つの映像フォーマットを選択するためのものである、請求項８に記載の方法。
【請求項１１】
前記少なくとも１つの映像フォーマットは、高解像度テレビフォーマット、通常のテレビフォーマットおよびデジタルフォーマットのうちの少なくとも１つを含む、請求項１０に記載の方法。
【請求項１２】
前記少なくとも１つの格納オプションは、前記番組が少なくとも１つのペアレンタル・コントロール基準を満たさない場合に、該番組が前記デジタル格納デバイスに録画されることを防止する少なくとも１つのペアレンタル・コントロール基準を設定するためのものである、請求項８に記載の方法。
【請求項１３】
前記少なくとも１つの格納オプションは、番組が前記ユーザによって視聴されると、前記デジタル格納デバイスから該番組を自動的に消去するためのものである、請求項１２に記載の方法。
【請求項１４】
前記少なくとも１つの格納オプションは、前記番組が録画される場合に、該番組とともに格納するための少なくとも１つの言語のサブタイトルを選択するためのものである、請求項８に記載の方法。
【請求項１５】
ユーザテレビ機器上に実装された双方向テレビ番組ガイドを用いて、番組を格納するための格納オプションを選択するシステムであって、該システムは、
録画されるべき番組を格納するための少なくとも１つの格納オプションをユーザが選択することを可能にする手段であって、該少なくとも１つの格納オプションは、番組がどのようにデジタル的に格納されるべきかを制御するように構成されている少なくとも１つの格納設定に関連する、手段と、
該少なくとも１つの格納オプションをユーザが選択したことに応答して、該少なくとも１つの格納設定を変更する手段と、
該双方向テレビ番組ガイドにおいて、少なくとも１つの番組に関連する少なくとも１つの番組リスト項目を表示する手段と、
デジタル格納デバイスに録画するために、該少なくとも１つの表示された番組リスト項目から番組リスト項目を該ユーザが選択することを可能にする手段と、
該少なくとも１つの格納設定の変更に基づいて、該番組を該デジタル格納デバイスに録画する手段と
を備えた、システム。
【請求項１６】
前記少なくとも１つの格納オプションは、番組が録画される場合に、番組とともに格納するための少なくとも１つの言語トラックを選択するためのものである、請求項１５に記載のシステム。
【請求項１７】
前記少なくとも１つの格納オプションは、番組を録画するための少なくとも１つの映像フォーマットを選択するためのものである、請求項１５に記載のシステム。
【請求項１８】
前記少なくとも１つの映像フォーマットは、高解像度テレビフォーマット、通常のテレビフォーマットおよびデジタルフォーマットのうちの少なくとも１つを含む、請求項１７に記載のシステム。
【請求項１９】
前記少なくとも１つの格納オプションは、前記番組が少なくとも１つのペアレンタル・コントロール基準を満たさない場合に、該番組が前記デジタル格納デバイスに録画されることを防止する少なくとも１つのペアレンタル・コントロール基準を設定するためのものである、請求項１５に記載のシステム。
【請求項２０】
前記少なくとも１つの格納オプションは、番組が前記ユーザによって視聴されると、前記デジタル格納デバイスから該番組を自動的に消去するためのものである、請求項１５に記載のシステム。
【請求項２１】
前記少なくとも１つの格納オプションは、番組が録画される場合に、該番組とともに格納するための少なくとも１つの言語のサブタイトルを選択するためのものである、請求項１５に記載のシステム。
【請求項２２】
ユーザテレビ機器上に実装された双方向テレビ番組ガイドを用いて、番組を録画するシステムであって、該システムは、
表示画面に、少なくとも１つの番組に関連する少なくとも１つの番組リスト項目を表示する手段と、
該少なくとも１つの表示された番組リスト項目から番組リスト項目を選択することによって、デジタル格納デバイスに録画されるべき番組をユーザが示すことを可能にする手段であって、該選択された番組リスト項目は、該録画されるべき番組に対応する、手段と、
該録画されるべき番組を格納するための少なくとも１つの格納オプションを該ユーザが選択することを可能にする手段であって、該少なくとも１つの格納オプションは、番組がどのようにデジタル的に格納されるべきかを制御するように構成されている少なくとも１つの格納設定に関連する、手段と、
該少なくとも１つの格納オプションのユーザ選択を受信したことに応答して、該録画されるべき番組に対する該少なくとも１つの格納設定を変更する手段と、
該番組に対する該少なくとも１つの格納設定の変更に基づいて、該番組を該デジタル格納デバイスに録画する手段と
を備えた、システム。
【請求項２３】
前記少なくとも１つの格納オプションは、前記番組が録画される場合に、該番組とともに格納するための少なくとも１つの言語トラックを選択するためのものである、請求項２２に記載のシステム。
【請求項２４】
前記少なくとも１つの格納オプションは、録画するための少なくとも１つの映像フォーマットを選択するためのものである、請求項２２に記載のシステム。
【請求項２５】
前記少なくとも１つの映像フォーマットは、高解像度テレビフォーマット、通常のテレビフォーマットおよびデジタルフォーマットのうちの少なくとも１つを含む、請求項２４に記載のシステム。
【請求項２６】
前記少なくとも１つの格納オプションは、前記番組が少なくとも１つのペアレンタル・コントロール基準を満たさない場合に、該番組が前記デジタル格納デバイスに録画されることを防止する少なくとも１つのペアレンタル・コントロール基準を設定するためのものである、請求項２２に記載のシステム。
【請求項２７】
前記少なくとも１つの格納オプションは、番組が前記ユーザによって視聴されると、前記デジタル格納デバイスから該番組を自動的に消去するためのものである、請求項２６に記載のシステム。
【請求項２８】
前記少なくとも１つの格納オプションは、前記番組が録画される場合に、該番組とともに格納するための少なくとも１つの言語のサブタイトルを選択するためのものである、請求項２２に記載のシステム。